(57)【要約】【課題】水洗トイレの手洗い付きロータンクの手洗い部に載置することによりロータンク内に薬剤を供給することができ、かつ薬液供給具の設置環境に応じてロータンクへの薬剤供給量を適切に調整することができる薬液供給具を提供する。【解決手段】薬液供給具１００Ａが、液状の薬剤を収容する薬液タンク１、薬液タンク１の底部開口部２に取り付けられたキャップ３、及び薬液タンク１上に設けられた天板１０Ａからなり、このキャップ３の開口部から水洗トイレの手洗い付きロータンクに薬剤Ａが供給される。カランから給水された水の薬液タンク１に対する接触量を調整できるように、天板１０Ａは、その全部又は一部が可動となっている。【選択図】　図１
2004132108.tif 000002
【特許請求の範囲】
【請求項１】
液状の薬剤を収容する薬液タンク、薬液タンクの底部開口部に取り付けられたキャップ、及び薬液タンク上に設けられた天板からなり、キャップの開口部から水洗トイレの手洗い付きロータンクに薬剤を供給する薬液供給具であって、天板の全部又は一部が、カランから給水された水の薬液タンクに対する接触量を調整できるように可動となっている薬液供給具。
【請求項２】
天板が着脱自在となっている請求項１記載の薬液供給具。
【請求項３】
天板の薬液タンクに対する装着方向が可変となっている請求項１記載の薬液供給具。
【請求項４】
天板が、開閉可能な通液孔を有する請求項１記載の薬液供給具。
【発明の詳細な説明】
【０００１】
【発明の属する技術分野】
本発明は、水洗トイレの手洗い付きロータンクの手洗い部に載置し、手洗い部の上方のカランから給水される水に薬剤（芳香剤、洗浄剤、殺菌剤等）を混合するのに適した薬液供給具に関する。
【０００２】
【従来の技術】
水洗トイレの手洗い付きロータンクの手洗い部に載置し、手洗い部の上方のカランから供給される水に薬剤（芳香剤、洗浄剤、殺菌剤等）を混合するために用いる薬液供給具として、特許文献１に記載されている水洗トイレ用薬剤供給具が知られている。この薬剤供給具は、液状の薬剤を収容する薬液タンク（薬剤容器）の底部に薬剤の導出孔を設け、その導出孔から薬剤を含浸体に導出して含浸させると共に、その含浸体が、カランから手洗い部に供給された水の流れに晒されるようにし、含浸体に含まれていた薬剤が水に溶解し、ロータンク内に流下するようにしたものである。
【特許文献１】特開２００１−３４２６６６号
【発明が解決しようとする課題】
上述の薬液供給具は構造的に複雑であり、製造コストが高くつく。これに対し、より単純な機構の薬液供給具１００ｘとしては、図８に示すように、液状の薬剤Ａを収容する薬液タンク１と薬液タンク１の底部開口部２に取り付けたキャップ３からなり、キャップ３に薬液供給ノズル４と足６を設けたものが考えられる。薬液供給ノズル４の先端開口部５には、薬剤Ａが、表面張力と薬液タンク１内が弱い負圧状態になることにより保持される。
【０００３】
この薬液供給具１００ｘを、ロータンクの手洗い部２０の吸水口２１上に載置し、水洗トイレの水をフラッシュさせ、カランから手洗い部２０に矢印のように水Ｗが供給されると、その水Ｗは薬剤Ａを保持した薬液供給ノズル４を洗うようにしてロータンク内に流下する。したがって、この薬液供給具１００ｘによれば、単純な機構で、カランからの給水の度に薬剤Ａをロータンク内に混入することが可能となる。
【０００４】
薬液タンク１内は、ロータンク内へ供給された薬剤Ａの量に応じて負圧になるが、薬液供給ノズル４の先端開口部５に付着していた薬剤の希釈液、水又は空気がその先端開口部５から薬液タンク１内に入るので、薬液タンク１内は直ちに弱い負圧状態に戻る。以降、カランから給水される度にこの作用が繰り返され、薬剤Ａがロータンク内に混入する。
【０００５】
しかしながら、前述のように、薬剤を含浸させた含浸体を手洗い部の水の流れに晒し、含浸体に含浸させていた薬剤を水に溶解させ、ロータンク内に流下させる場合でも、図８に示した薬液供給具１００ｘのように、薬液タンク１の底部に設けられた薬液供給ノズル４から薬剤Ａをロータンク内に混入する場合でも、薬液タンクがカランから給水された水に晒される場合には、カランから給水される水の水温とトイレの室温との差異によって薬液タンク内の空気が膨張あるいは収縮するために、薬液タンクからロータンク内に供給される薬剤量が変動する。カランから給水される水の水温やトイレの室温といった薬液供給具の設置環境は各家庭毎に異なり、また季節によっても大きく異なる。このため、薬液供給具の設計に際して、薬液タンクからロータンク内に供給される薬剤量を一義的に定めることはできない。
【０００６】
これに対し、本発明は、水洗トイレの手洗い付きロータンクの手洗い部に載置することにより、ロータンク内に薬剤を供給する薬液供給具において、薬液供給具の設置環境に応じて薬剤供給量を適切に調整できるようにすることを目的とする。
【０００７】
【課題を解決するための手段】
本発明者は、薬液タンクの底部開口部に取り付けられたキャップの開口部から薬剤がロータンクに供給される薬液供給具において、薬液供給具を載置するトイレ毎、あるいは季節毎に、ロータンクに供給される薬剤量を適切な量にするためには、カランから給水された水が薬液タンクに接触する量を調整できるように、薬液タンク上に天板を設けることが有効であることを見出した。
【０００８】
即ち、本発明は、液状の薬剤を収容する薬液タンク、薬液タンクの底部開口部に取り付けられたキャップ、及び薬液タンク上に設けられた天板からなり、キャップの開口部から水洗トイレの手洗い付きロータンクに薬剤を供給する薬液供給具であって、天板の全部又は一部が、カランから給水された水の薬液タンクに対する接触量を調整できるように可動となっている薬液供給具を提供する。
【０００９】
【発明の実施の形態】
以下、図面を参照しつつ、本発明を詳細に説明する。なお、各図中、同一符号は同一または同等の構成要素を表している。
【００１０】
図１は、本発明の一態様の薬液供給具１００Ａの斜視図である。
【００１１】
この薬剤吐出容器１００Ａは、トイレ用芳香剤、洗浄剤、殺菌剤等の液状の薬剤Ａを収容する薬液タンク１と、薬液タンク１の底部開口部２に取り付けられたキャップ３からなる。この薬液タンク１を上面から見た外形は、角を丸めたやや扁平な矩形となっている。また、キャップ３には薬液供給ノズル４と足６が該キャップ３に一体的に設けられ、薬液供給ノズル４の先端開口部５には、薬剤Ａが表面張力と薬液タンク１内が弱い負圧状態になることにより保持される。
【００１２】
薬液タンク１上には、その頂部に天板１０Ａが嵌合している。天板１０Ａは、それを上面から見た外形が、薬液タンク１を上面から見た外形とほぼ同様であり、大きさが若干小さくなっている。また、この天板１０Ａは矢印のように薬液タンク１上で回転し、薬液タンク１に対する装着方向が可変となる。
【００１３】
天板１０Ａをこのように装着方向可変に設けることにより、カランからの水が薬液供給具１００Ａの真上から供給される場合に、カランから給水された水の薬液タンクに対する接触量を調整することができる。そしてこの調整により、例えば、次のようにして薬液タンクからロータンク内に入る薬剤量を調整することができる。
【００１４】
まず、カランから給水されると、薬液供給ノズル４の先端開口部５に保持されていた薬剤Ａがカランからの水に洗われてロータンク内に入る。この薬剤Ａのロータンクへの混入によって薬液タンク１には負圧が生じるが、この負圧は、先端開口部５から希釈薬剤、水、又は空気が薬液タンク１内に入ることにより直ちに解消される。
【００１５】
水温が室温よりも低い場合、薬液タンク１はカランからの給水によって冷やされるが、カランからの給水が止まると、逆に、薬液タンクは次第に温まり、薬液タンク１内のヘッドスペースにある空気が膨張し、薬液タンク１内は加圧状態となる。このため薬剤Ａが押し出され、これもロータンク内に入る。また、水温が室温よりも高い場合、カランからの給水時に薬液タンク１内のヘッドスペースが温められて膨張し、これにより薬剤Ａが吐出される。したがって、水温と室温との差異が大きい程、また、カランから給水された水の薬液タンク１に対する接触量が多い程、薬液タンク１の温度上昇時のヘッドスペースの膨張によってロータンク内に入る薬剤量が増えることとなる。
【００１６】
これに対し、この薬液供給具１００Ａによれば、カランから給水された水の薬液タンクに対する接触量を天板１０Ａによって調整することができる。したがって、薬液タンクからロータンク内に入る薬剤量を適切な量に調整することができる。
【００１７】
本発明において、薬剤Ａとしては、粘度５〜１０００ｍＰａ・ｓ（２０℃）に調整したものを使用し、薬液供給ノズル４の先端開口部５の孔径は１〜５ｍｍとすることが好ましい。薬剤Ａの粘度が１０００ｍＰａ・ｓを超えるか、又は先端開口部５の孔径が１ｍｍよりも狭いと、薬液タンク１から薬液供給ノズル４の先端にまで薬剤Ａが導出されにくくなる。反対に薬剤Ａの粘度が５ｍＰａ・ｓよりも低いか、又は先端開口部５の孔径が５ｍｍよりも広いと、先端開口部５から薬剤Ａが過度に漏出し易くなる。
【００１８】
この薬液供給具１００Ａの使用方法としては、薬液供給具の当該設置環境において、ロータンクに入る薬剤量を少なくしたい場合、まず、図２（ａ）に示すように、天板１０Ａと薬液タンク１との重なりができるだけ多くなるように、薬液タンク１に対する天板１０Ａの装着方向を調整し、これを水洗トイレの手洗い付きロータンクの手洗い部２０の吸水口２１上に載置する。
【００１９】
薬液供給具１００Ａを手洗い部２０に載置後、水洗トイレの水がフラッシュされ、カランから給水されると、図２（ｂ）のように、水Ｗは、薬液タンク１に接触することが天板１０Ａによって妨げられるので、天板１０Ａに沿って流れた後、薬液タンク１の側方を通って手洗い部２０に流れる。したがって、給水による薬液タンク１の温度変化は最小限に抑制され、カランからの給水が止まった後には、薬液タンク１のヘッドスペースの空気の膨張量も抑制され、薬液タンク１から押し出される薬剤Ａの量が最小限に押さえられる。
【００２０】
一方、薬液供給具の当該設置環境において、ロータンクに入る薬剤量を多くしたい場合、まず、図３（ａ）に示すように、天板１０Ａと薬液タンク１との重なりができるだけ少なくなるように、薬液タンク１に対する天板１０Ａの装着方向を調整し、これを水洗トイレの手洗い付きロータンクの手洗い部２０の吸水口２１上に載置する。
【００２１】
薬液供給具１００Ａを手洗い部２０に載置後、水洗トイレの水がフラッシュされ、カランから給水されると、図３（ｂ）のように、水Ｗは、天板１０Ａに沿って流れ、次いで薬液タンク１の上面を通って手洗い部２０に流れる。したがって、給水時に薬液タンク１に接触する水Ｗの量が多くなり、給水による薬液タンク１の温度変化が大きくなる。よって、カランからの給水が止まった後には、薬液タンク１のヘッドスペースの空気の膨張量が多くなり、薬剤Ａが薬液タンク１から押し出される量を多くすることができる。
【００２２】
さらに、ロータンク内に入る薬剤量を多くする場合には、図４に示すように、天板１０Ａを取り外してもよい。これにより、カランからの給水が止まった後に、薬液タンク１から押し出される薬剤量をより一層多くすることができる。
【００２３】
また、ロータンク内に入る薬剤量を、図２に示した装着態様と図３に示した装着態様の間で調整する場合には、天板１０Ａの薬液タンク１に対する装着方向を適宜変える。
【００２４】
この薬液供給具１００Ａは極めて構成が簡易であり、構成部品の点数が少ない。薬液タンク１や、薬液供給ノズル４と一体になっているキャップ３や、天板１０Ａは、それぞれプラスチック成型により容易に製造することができる。したがって、この薬液供給具１００Ａはローコストに得ることができる。また、カランからの給水により確実に薬剤Ａをロータンク内に混入させることができ、その際に薬剤Ａが手洗い部２０に広がることもないので、手洗い部２０が薬剤Ａで汚れることもない。さらに、この薬液供給具１００Ａによれば、天板１０Ａの装着方向を変えることによって、あるいは取り外すことによって、ロータンクに入る薬剤量を調整することができる。
【００２５】
本発明において、天板は、カランから給水された水の薬液タンクに対する接触量を調整できるようにするため、種々の態様をとることができる。
【００２６】
例えば、図５は、本発明の異なる態様の薬液供給具１００Ｂの斜視図である。
【００２７】
この薬液供給具１００Ｂも、薬液タンク１と、薬液タンク１の底部開口部２に取り付けられたキャップ３からなり、キャップ３には薬液供給ノズル４と足６が該キャップ３に一体的に設けられ、薬液供給ノズル４の先端開口部５には、薬剤Ａが表面張力と薬液タンク１内が弱い負圧状態になることにより保持され、薬液タンク１の頂部に天板が嵌合している点では、上述の図１の薬液供給具１００Ａと同様であるが、天板１０Ｂはそれぞれ通液孔１２、１４を有する第１の円盤状部材１１と第２の円盤状部材１３からなり、上方の第１の円盤状部材１１が下方の第２の円盤状部材１３の上で矢印のように回転でき、それにより双方の通液孔１２、１４の重なり量が変わり、天板１０Ｂ全体として通液孔１５が開閉されるようになっている。
【００２８】
この薬液供給具１００Ｂの使用方法としては、薬液供給具の当該設置環境において、ロータンクに入る薬剤量を少なくしたい場合、まず、図６（ａ）に示すように、第１の円盤状部材１１を回転させて、第１の円盤状部材１１の通液孔１２と第２の円盤状部材１３の通液孔１４が重ならないようにし、天板１０Ｂ全体として通液孔１５を閉じる。これにより、カランからの給水時に、水Ｗは、図６（ｂ）のように、薬液タンク１に接触することが天板１０Ｂによって妨げられるので、天板１０Ｂに沿って流れた後、薬液タンク１の側方を通って手洗い部２０に流れる。したがって、給水による薬液タンク１の温度変化は最小限に抑制され、カランからの給水が止まった後には、薬液タンク１のヘッドスペースの空気の膨張量も抑制され、薬液タンク１から押し出される薬剤Ａの量が最小限に押さえられる。
【００２９】
これに対し、薬液供給具の当該設置環境において、ロータンクに入る薬剤量を多くしたい場合、図７（ａ）に示すように、第１の円盤状部材１１を回転させて、第１の円盤状部材１１の通液孔１２と第２の円盤状部材１３の通液孔１４を重ね合わせ、天板１０Ｂ全体として通液孔１５を全開にする。これにより、カランからの給水時に、水Ｗは、図７（ｂ）のように、天板１０Ｂに沿って放射状に流れると共に通液孔１５を流下し、薬液タンク１の上面を通って手洗い部２０に流れる。したがって、給水時に薬液タンク１に接触する水Ｗの量が多くなり、給水による薬液タンク１の温度変化が大きくなる。よって、カランからの給水が止まった後には、薬液タンク１のヘッドスペースの空気の膨張量が多くなり、薬剤Ａが薬液タンク１から押し出される量を多くすることができる。
【００３０】
ロータンクに入る薬剤量を、図６に示した態様と図７に示した態様の間で調整する場合には、第１の円盤状部材１１を回転させることにより通液孔１５の開口量を適宜調整する。
【００３１】
以上、図示した態様は、いずれも薬液タンク１の頂部に天板１０Ａ、１０Ｂを嵌合することにより設けたものであるが、本発明において天板を薬液タンク上に設ける手法はこれに限られない。天板は、薬液タンクと螺合させてもよく、またアーム等を用いてキャップ３で支持してもよい。
【００３２】
また、薬液供給ノズル４を有するキャップ３に代えて、薬液タンクから導出した薬剤を含浸させる含浸体をキャップ内に設け、その含浸体が手洗い部の水の流れに晒されることにより薬剤がロータンク内に供給されるようにした薬液供給具にも天板を可動に設け、本発明の一態様とすることができる。
【００３３】
【実施例】
実施例１、実施例２
図１の薬液供給具１００Ａ（実施例１）と図５の薬液供給具１００Ｂ（実施例２）を作製した。この場合、双方とも、薬液タンク１の容量は１００ｍＬ、外形の大きさはＬ９４×Ｗ６０×Ｈ５５ｍｍとした。また、図１の薬液供給具１００Ａにおいて、天板１０Ａの外形の大きさはＬ７０×Ｗ６０×Ｈ１１ｍｍとした。図５の薬液供給具１００Ｂにおいて天板１０Ｂの外形の大きさは直径６０ｍｍとし、通液孔１５としては、全開時に面積０．５ｃｍ２　の孔が８個形成されるようにした。
【００３４】
薬剤Ａとしては、表１の組成の青色薬剤（粘度８０ｍＰａ・ｓ（２０℃））を４０ｍＬ充填した。
【００３５】
【表１】
2004132108.tif 000003
【００３６】
評価
実施例１の薬液供給具１００Ａについては、天板１０Ａと薬液タンク１との重なりが最大となるようにした図２の態様（装着態様１）と、最小となるようにした図３の態様（装着態様２）と、天板を取り除いた態様（態様３）の３種を用意した。また、実施例２の薬液供給具１００Ｂは、通液孔１５を全開にした。
【００３７】
この合計４種の薬液供給具を試験宅Ａ及び試験宅Ｂにおいて、水洗トイレの手洗い付きロータンクの手洗い部に載置し、水のフラッシュ毎にトイレ内の室温とカランから供給される水の温度を測定し、当初充填した薬剤が無くなるまでのフラッシュ回数を数えた。結果を表２に示す。
【００３８】
【表２】
2004132108.tif 000004
【００３９】
表２の結果から、実施例１において、天板の装着態様を変えて薬液タンクに多くの水を接触させるほど、薬液タンク内の薬剤が無くなるまでのフラッシュ回数が少なくなること、言い換えれば、１回のフラッシュ当たりのロータンクへの薬剤供給量が多くなることがわかる。したがって、本発明によれば、天板の調整によりロータンクへ供給する薬剤量を調整できることがわかる。
【００４０】
また、試験宅Ａと試験宅Ｂの結果を対比することにより、同じ天板の装着態様の薬液供給具であっても、薬液供給具の設置環境において、水温と室温の差が大きいほど１回のフラッシュ当たりのロータンクへの薬剤供給量が多くなることがわかる。したがって、当該設置環境に応じて、ロータンクへの薬剤供給量を調整できるようにした本発明の薬液供給具の有用性がわかる。
【００４１】
【発明の効果】
本発明の薬液供給具によれば、水洗トイレの手洗い付きロータンクの手洗い部に載置することにより、ロータンク内に薬剤を供給することができ、かつ薬液供給具の設置環境に応じてロータンクへの薬剤供給量を適切に調整することができる。
【図面の簡単な説明】
【図１】薬液供給具の斜視図である。
【図２】天板と薬液タンクとの重なりが多くなるように天板の装着方向を調整した薬液供給具の上面図（ａ）と、その薬液供給具の作用を示す断面図（ｂ）である。
【図３】天板と薬液タンクとの重なり量が少なくなるように天板の装着方向を調整した薬液供給具の上面図（ａ）と、その薬液供給具の作用を示す断面図（ｂ）である。
【図４】天板を取り外した薬液供給具の断面図である。
【図５】薬液供給具の斜視図である。
【図６】通液孔が無くなるように天板を調整した薬液供給具の上面図（ａ）と、その薬液供給具の作用を示す断面図（ｂ）である。
【図７】通液孔が全開となるように天板を調整した薬液供給具の上面図（ａ）と、その薬液供給具の作用を示す断面図（ｂ）である。
【図８】薬液供給具の斜視図（ａ）、及びロータンクの手洗い部に載置した薬液供給具の断面図（ｂ）である。
【符号の説明】
１　　薬液タンク
２　　薬液タンクの底部開口部
３　　キャップ
４　　薬液供給ノズル
５　　先端開口部
１０Ａ、１０Ｂ　　天板
１１　　第１の円盤状部材
１２　　通液孔
１３　　第２の円盤状部材
１４　　通液孔
１５　　通液孔
２０　　手洗い部
１００Ａ、１００Ｂ　薬液供給具
Ａ　　薬剤
【図１】
2004132108.tif 000005
【図２】
2004132108.tif 000006
【図３】
2004132108.tif 000007
【図４】
2004132108.tif 000008
【図５】
2004132108.tif 000009
【図６】
2004132108.tif 000010
【図７】
2004132108.tif 000011
【図８】
2004132108.tif 000012